(57)【要約】  本開示のいくつかの実施形態は、ＷｉＭＡＸネットワークなどの第１無線アクセス技術（ＲＡＴ）ネットワークに接続されている間に符号分割多元接続ネットワークなどの第２ＲＡＴネットワーク内でページング・メッセージをスキャンするための方法を提供する。いくつかの実施形態については、機能強化されたスキャニング要求メッセージは、第２ＲＡＴのページング・サイクルに位置合せされた第１ＲＡＴ内のスキャニング・サイクルを確立するのを容易にすることができる。
2011520402.tif 000002
【特許請求の範囲】
【請求項１】
第１無線アクセス技術（ＲＡＴ）および第２ＲＡＴを介する第１ネットワークおよび第２ネットワークとのマルチモード移動局（ＭＳ）による通信のための方法であって、
スキャニング・サイクルのスキャニング・インターバルが前記第２ＲＡＴのページング・サイクルのページング・ウィンドウと位置合せされるように、前記移動局が前記第１ＲＡＴを用いて実行するための前記スキャニング・サイクルの開始フレーム番号およびインタリービング・インターバルを計算することと、
前記開始フレーム番号およびスキャニング・インターバルを用いて前記スキャニング・サイクルを確立するために前記第１ネットワークの基地局にスキャニング要求を送信することであって、前記要求内で送信される前記開始フレーム番号およびインタリービング・インターバルのうちの少なくとも１つは、８ビットを超える、送信することと、
前記第１ネットワークとの接続を打ち切らずに、前記スキャニング・サイクルの前記スキャニング・インターバル中にページング・メッセージについて監視するために前記第２ネットワークに切り替えることと、
を備える方法。
【請求項２】
前記スキャニング要求内で、その中に含まれるパラメータが必須であってオプションではないことの表示を送信すること
をさらに備える請求項１に記載の方法。
【請求項３】
前記スキャニング要求内で、前記スキャニング・サイクルが指定されたスキャン反復の後に自動的に終了することの表示を送信すること、
をさらに備える請求項１に記載の方法。
【請求項４】
前記スキャニング要求内で、前記スキャニング・サイクルが、前記移動局が別々のスキャニング要求を送信することによって前記スキャニングを非活性化するまで継続することの表示を送信すること、
をさらに備える請求項１に記載の方法。
【請求項５】
前記スキャニング要求内で、前記ＭＳが移動体スキャン要求内に隣接基地局を含めるか否かの表示を送信することをさらに備える請求項１に記載の方法。
【請求項６】
前記スキャニング要求内で、前記ＭＳが隣接する基地局をスキャンした結果を伴うスキャニングレポートを提供するつもりであるか否かの表示を送信することをさらに備える請求項１に記載の方法。
【請求項７】
前記移動局によってサポートされる前記第１ＲＡＴおよび前記第２ＲＡＴのうちの一方は、米国電気電子技術者協会（ＩＥＥＥ）８０２．１６系列の標準規格の１つまたは複数の標準規格に従うＲＡＴを備える請求項１に記載の方法。
【請求項８】
前記移動局によってサポートされる前記第１ＲＡＴおよび前記第２ＲＡＴのうちの一方は、符号分割多元接続（ＣＤＭＡ）ＲＡＴを備える請求項１に記載の方法。
【請求項９】
前記移動局によってサポートされる前記第１ＲＡＴおよび前記第２ＲＡＴのうちの他方は、米国電気電子技術者協会（ＩＥＥＥ）８０２．１６系列の標準規格の１つまたは複数の標準規格に従うＲＡＴを備える請求項８に記載の方法。
【請求項１０】
第１無線アクセス技術（ＲＡＴ）および第２ＲＡＴを介する第１ネットワークおよび第２ネットワークとのマルチモード移動局（ＭＳ）による通信のための装置であって、
スキャニング・サイクルのスキャニング・インターバルが前記第２ＲＡＴのページング・サイクルのページング・ウィンドウと位置合せされるように、前記移動局が前記第１ＲＡＴを用いて実行するための前記スキャニング・サイクルの開始フレーム番号およびインタリービング・インターバルを計算するための論理と、
前記開始フレーム番号およびスキャニング・インターバルを用いて前記スキャニング・サイクルを確立するために前記第１ネットワークの基地局にスキャニング要求を送信するための論理であって、前記要求内で送信される前記開始フレーム番号およびインタリービング・インターバルのうちの少なくとも１つは、８ビットを超える、送信するための論理と、
前記第１ネットワークとの接続を打ち切らずに、前記スキャニング・サイクルの前記スキャニング・インターバル中にページング・メッセージについて監視するために前記第２ネットワークに切り替えるための論理と、
を備える装置。
【請求項１１】
スキャニング要求を送信するための前記論理は、前記スキャニング要求内で、その中に含まれるパラメータが必須であってオプションではないことを示すように構成される請求項１０に記載の装置。
【請求項１２】
スキャニング要求を送信するための前記論理は、前記スキャニング要求内で、前記スキャニング・サイクルが指定されたスキャン反復の後に自動的に終了することを示すように構成される請求項１０に記載の装置。
【請求項１３】
スキャニング要求を送信するための前記論理は、前記スキャニング要求内で、前記スキャニング・サイクルが、前記移動局が別々のスキャニング要求を送信することによって前記スキャニングを非活性化するまで継続することを示すように構成される請求項１０に記載の装置。
【請求項１４】
スキャニング要求を送信するための前記論理は、前記スキャニング要求内で、前記ＭＳが移動体スキャン要求内に隣接基地局を含めるか否かを示すように構成される請求項１０に記載の装置。
【請求項１５】
スキャニング要求を送信するための前記論理は、前記スキャニング要求内で、前記ＭＳが隣接する基地局をスキャンした結果を伴うスキャニングレポートを提供するつもりであるか否かを示すように構成される請求項１０に記載の装置。
【請求項１６】
前記移動局によってサポートされる前記第１ＲＡＴおよび前記第２ＲＡＴのうちの一方は、米国電気電子技術者協会（ＩＥＥＥ）８０２．１６系列の標準規格の１つまたは複数の標準規格に従うＲＡＴを備える請求項１０に記載の装置。
【請求項１７】
前記移動局によってサポートされる前記第１ＲＡＴおよび前記第２ＲＡＴのうちの一方は、符号分割多元接続（ＣＤＭＡ）ＲＡＴを備える請求項１０に記載の装置。
【請求項１８】
前記移動局によってサポートされる前記第１ＲＡＴおよび前記第２ＲＡＴのうちの他方は、米国電気電子技術者協会（ＩＥＥＥ）８０２．１６系列の標準規格の１つまたは複数の標準規格に従うＲＡＴを備える請求項１７に記載の装置。
【請求項１９】
第１無線アクセス技術（ＲＡＴ）および第２ＲＡＴを介する第１ネットワークおよび第２ネットワークとのマルチモード移動局（ＭＳ）による通信の装置であって、
スキャニング・サイクルのスキャニング・インターバルが前記第２ＲＡＴのページング・サイクルのページング・ウィンドウと位置合せされるように、前記移動局が前記第１ＲＡＴを用いて実行するための前記スキャニング・サイクルの開始フレーム番号およびインタリービング・インターバルを計算するための手段と、
前記開始フレーム番号およびスキャニング・インターバルを用いて前記スキャニング・サイクルを確立するために前記第１ネットワークの基地局にスキャニング要求を送信するための手段であって、前記要求内で送信される前記開始フレーム番号およびインタリービング・インターバルのうちの少なくとも１つは、８ビットを超える、送信するための手段と、
前記第１ネットワークとの接続を打ち切らずに、前記スキャニング・サイクルの前記スキャニング・インターバル中にページング・メッセージについて監視するために前記第２ネットワークに切り替えるための手段と
を備える装置。
【請求項２０】
スキャニング要求を送信するための前記手段は、前記スキャニング要求内で、その中に含まれるパラメータが必須であってオプションではないことを示すように構成される請求項１９に記載の装置。
【請求項２１】
スキャニング要求を送信するための前記手段は、前記スキャニング要求内で、前記スキャニング・サイクルが指定されたスキャン反復の後に自動的に終了することを示すように構成される請求項１９に記載の装置。
【請求項２２】
スキャニング要求を送信するための前記手段は、前記スキャニング要求内で、前記スキャニング・サイクルが、前記移動局が別々のスキャニング要求を送信することによって前記スキャニングを非活性化するまで継続することを示すように構成される請求項１９に記載の装置。
【請求項２３】
スキャニング要求を送信するための前記手段は、前記スキャニング要求内で、前記ＭＳが移動体スキャン要求内に隣接基地局を含めるか否かを示すように構成される請求項１９に記載の装置。
【請求項２４】
スキャニング要求を送信するための前記手段は、前記スキャニング要求内で、前記ＭＳが隣接する基地局をスキャンした結果を伴うスキャニングレポートを提供するつもりであるか否かを示すように構成される請求項１９に記載の装置。
【請求項２５】
前記移動局によってサポートされる前記第１ＲＡＴおよび前記第２ＲＡＴのうちの一方は、米国電気電子技術者協会（ＩＥＥＥ）８０２．１６系列の標準規格の１つまたは複数の標準規格に従うＲＡＴを備える請求項１９に記載の装置。
【請求項２６】
前記移動局によってサポートされる前記第１ＲＡＴおよび前記第２ＲＡＴのうちの一方は、符号分割多元接続（ＣＤＭＡ）ＲＡＴを備える請求項１９に記載の装置。
【請求項２７】
前記移動局によってサポートされる前記第１ＲＡＴおよび前記第２ＲＡＴのうちの他方は、米国電気電子技術者協会（ＩＥＥＥ）８０２．１６系列の標準規格の１つまたは複数の標準規格に従うＲＡＴを備える請求項２６に記載の装置。
【請求項２８】
第１無線アクセス技術（ＲＡＴ）および第２ＲＡＴを介する第１ネットワークおよび第２ネットワークとのマルチモード移動局（ＭＳ）による通信のためのコンピュータプログラム製品であって、命令をその上に格納されたコンピュータ可読媒体を備え、前記命令は、１つまたは複数のプロセッサによって実行可能であり、前記命令は、
スキャニング・サイクルのスキャニング・インターバルが前記第２ＲＡＴのページング・サイクルのページング・ウィンドウと位置合せされるように、前記移動局が前記第１ＲＡＴを用いて実行するための前記スキャニング・サイクルの開始フレーム番号およびインタリービング・インターバルを計算する命令と、
前記開始フレーム番号およびスキャニング・インターバルを用いて前記スキャニング・サイクルを確立するために前記第１ネットワークの基地局にスキャニング要求を送信する命令であって、前記要求内で送信される前記開始フレーム番号およびインタリービング・インターバルのうちの少なくとも１つは、８ビットを超える、送信する命令と、
前記第１ネットワークとの接続を打ち切らずに、前記スキャニング・サイクルの前記スキャニング・インターバル中にページング・メッセージについて監視するために前記第２ネットワークに切り替える命令と、
を備えるコンピュータプログラム製品。
【請求項２９】
前記命令は、
前記スキャニング要求内で、その中に含まれるパラメータが必須であってオプションではないことの表示を送信する命令
をさらに備える請求項２８に記載のコンピュータプログラム製品。
【請求項３０】
前記命令は、
前記スキャニング要求内で、前記スキャニング・サイクルが指定されたスキャン反復の後に自動的に終了することの表示を送信する命令
をさらに備える請求項２８に記載のコンピュータプログラム製品。
【請求項３１】
前記命令は、
前記スキャニング要求内で、前記スキャニング・サイクルが、前記移動局が別々のスキャニング要求を送信することによって前記スキャニングを非活性化するまで継続することの表示を送信する命令
をさらに備える請求項２８に記載のコンピュータプログラム製品。
【請求項３２】
前記命令は、
前記スキャニング要求内で、前記ＭＳが移動体スキャン要求内に隣接基地局を含めるか否かの表示を送信する命令
をさらに備える請求項２８に記載のコンピュータプログラム製品。
【請求項３３】
前記命令は、
前記スキャニング要求内で、前記ＭＳが隣接する基地局をスキャンした結果を伴うスキャニングレポートを提供するつもりであるか否かの表示を送信する命令
をさらに備える請求項２８に記載のコンピュータプログラム製品。
【請求項３４】
前記移動局によってサポートされる前記第１ＲＡＴおよび前記第２ＲＡＴのうちの一方は、米国電気電子技術者協会（ＩＥＥＥ）８０２．１６系列の標準規格の１つまたは複数の標準規格に従うＲＡＴを備える請求項２８に記載のコンピュータプログラム製品。
【請求項３５】
前記移動局によってサポートされる前記第１ＲＡＴおよび前記第２ＲＡＴのうちの一方は、符号分割多元接続（ＣＤＭＡ）ＲＡＴを備える請求項２８に記載のコンピュータプログラム製品。
【請求項３６】
前記移動局によってサポートされる前記第１ＲＡＴおよび前記第２ＲＡＴのうちの他方は、米国電気電子技術者協会（ＩＥＥＥ）８０２．１６系列の標準規格の１つまたは複数の標準規格に従うＲＡＴを備える請求項３５に記載のコンピュータプログラム製品。
【発明の詳細な説明】
【技術分野】
【０００１】
本開示のいくつかの実施形態は、全般的には無線通信に関し、より具体的には複数の無線アクセス技術（radio access technology）をサポートする移動体デバイスとの通信に関する。
【０００２】
優先権出願
本願は、参照によってその全体が本明細書に完全に組み込まれている、２００８年５月１１日に出願した米国仮特許出願第６１／０５２，２６４号、名称「Ｓｙｓｔｅｍｓ  ａｎｄ  Ｍｅｔｈｏｄｓ  ｆｏｒ  Ｍｕｌｔｉｍｏｄｅ  Ｗｉｒｅｌｅｓｓ  Ｃｏｍｍｕｎｉｃａｔｉｏｎ」の優先権の利益を主張するものである。
【背景技術】
【０００３】
ＩＥＥＥ  ８０２．１６の下の直交周波数分割多重無線通信システムおよび直交周波数分割多元接続無線通信システムは、複数の副搬送波の周波数の直交性に基づいてシステム内でサービスに関して登録された無線デバイス（すなわち、移動局）と通信するのに基地局のネットワークを使用し、マルチパス・フェージングおよび干渉に対する抵抗などの広帯域無線通信に関する複数の技術的利益を達成するために実施され得る。各基地局（ＢＳ）は、移動局（ＭＳ）との間でデータを伝えるラジオ周波数（ＲＦ）信号を放ち、受信する。
【０００４】
加入者が利用可能なサービスを拡張するために、一部のＭＳは、複数の無線アクセス技術（ＲＡＴ）を用いる通信をサポートする。たとえば、マルチモードＭＳは、ブロードバンド・データ・サービス用のＷｉＭＡＸおよび音声サービス用の符号分割多元接続（ＣＤＭＡ）をサポートすることができる。
【０００５】
残念ながら、従来のシステムでは、２つのネットワークの間の非効率的な切替が、両方のサービスのスループットの低下を引き起こす場合がある。
【発明の概要】
【０００６】
本開示のいくつかの実施形態は、ＷｉＭＡＸネットワークなどの第１無線アクセス技術（ＲＡＴ）ネットワークに接続されている間に符号分割多元接続ネットワークなどの第２ＲＡＴネットワーク内でページング・メッセージをスキャンするための方法を提供する。いくつかの実施形態については、機能強化されたスキャニング要求メッセージは、第２ＲＡＴのページング・サイクルに位置合せされた第１ＲＡＴ内のスキャニング・サイクルを確立するのを容易にすることができる。
【０００７】
本開示のいくつかの実施形態は、全般的に、第１無線アクセス技術（ＲＡＴ）および第２ＲＡＴを介する第１ネットワークおよび第２ネットワークとのマルチモード移動局（ＭＳ）による通信の方法を提供する。この方法は、全般的に、スキャニング・サイクルのスキャニング・インターバルが第２ＲＡＴのページング・サイクルのページング・ウィンドウと位置合せされるように、移動局が第１ＲＡＴを用いて実行するためのスキャニング・サイクルの開始フレーム番号およびインタリービング・インターバルを計算することと、開始フレーム番号およびスキャニング・インターバルを用いてスキャニング・サイクルを確立するために第１ネットワークの基地局にスキャニング要求を送信することであって、要求内で送信される開始フレーム番号およびインタリービング・インターバルのうちの少なくとも１つは、８ビットを超える、送信することと、第１ネットワークとの接続を打ち切らずに、スキャニング・サイクルのスキャニング・インターバル中にページング・メッセージについて監視するために第２ネットワークに切り替えることとを含む。
【０００８】
本開示のいくつかの実施形態は、全般的に、第１無線アクセス技術（ＲＡＴ）および第２ＲＡＴを介する第１ネットワークおよび第２ネットワークとのマルチモード移動局（ＭＳ）による通信の装置を提供する。この装置は、全般的に、スキャニング・サイクルのスキャニング・インターバルが第２ＲＡＴのページング・サイクルのページング・ウィンドウと位置合せされるように、移動局が第１ＲＡＴを用いて実行するためのスキャニング・サイクルの開始フレーム番号およびインタリービング・インターバルを計算するための論理と、開始フレーム番号およびスキャニング・インターバルを用いてスキャニング・サイクルを確立するために第１ネットワークの基地局にスキャニング要求を送信するための論理であって、要求内で送信される開始フレーム番号およびインタリービング・インターバルのうちの少なくとも１つは、８ビットを超える、送信するための論理と、第１ネットワークとの接続を打ち切らずに、スキャニング・サイクルのスキャニング・インターバル中にページング・メッセージについて監視するために第２ネットワークに切り替えるための論理とを含む。
【０００９】
本開示のいくつかの実施形態は、全般的に、第１無線アクセス技術（ＲＡＴ）および第２ＲＡＴを介する第１ネットワークおよび第２ネットワークとのマルチモード移動局（ＭＳ）による通信の装置を提供する。この装置は、全般的に、スキャニング・サイクルのスキャニング・インターバルが第２ＲＡＴのページング・サイクルのページング・ウィンドウと位置合せされるように、移動局が第１ＲＡＴを用いて実行するためのスキャニング・サイクルの開始フレーム番号およびインタリービング・インターバルを計算するための手段と、開始フレーム番号およびスキャニング・インターバルを用いてスキャニング・サイクルを確立するために第１ネットワークの基地局にスキャニング要求を送信するための手段であって、要求内で送信される開始フレーム番号およびインタリービング・インターバルのうちの少なくとも１つは、８ビットを超える、送信するための手段と、第１ネットワークとの接続を打ち切らずに、スキャニング・サイクルのスキャニング・インターバル中にページング・メッセージについて監視するために第２ネットワークに切り替えるための手段とを含む。
【００１０】
本開示のいくつかの実施形態は、全般的に、第１無線アクセス技術（ＲＡＴ）および第２ＲＡＴを介する第１ネットワークおよび第２ネットワークとのマルチモード移動局（ＭＳ）による通信のためのコンピュータプログラム製品であって、命令をその上に格納されたコンピュータ可読媒体を備え、命令は、１つまたは複数のプロセッサによって実行可能である、コンピュータプログラム製品を提供する。命令は、全般的に、スキャニング・サイクルのスキャニング・インターバルが第２ＲＡＴのページング・サイクルのページング・ウィンドウと位置合せされるように、移動局が第１ＲＡＴを用いて実行するためのスキャニング・サイクルの開始フレーム番号およびインタリービング・インターバルを計算する命令の命令と、開始フレーム番号およびスキャニング・インターバルを用いてスキャニング・サイクルを確立するために第１ネットワークの基地局にスキャニング要求を送信する命令であって、要求内で送信される開始フレーム番号およびインタリービング・インターバルのうちの少なくとも１つは、８ビットを超える、送信する命令と、第１ネットワークとの接続を打ち切らずに、スキャニング・サイクルのスキャニング・インターバル中にページング・メッセージについて監視するために第２ネットワークに切り替える命令とを含む。
【００１１】
本開示の上で列挙した特徴を詳細に理解できる形のために、上で短く要約した、より特定の説明を、その一部が添付図面に示された実施形態を参照することによって有することができる。しかし、添付図面が、本開示のいくつかの典型的な実施形態のみを示し、したがって、その範囲について限定的と考えられてはならず、それはこの説明では、他の同等に有効な実施形態を認め得るからであることに留意されたい。
【図面の簡単な説明】
【００１２】
【図１】本開示のいくつかの実施形態による、例の無線通信システムを示す図。
【図２】本開示のいくつかの実施形態による、無線デバイス内で利用できるさまざまなコンポーネントを示す図。
【図３】本開示のいくつかの実施形態による、直交周波数分割多重および直交周波数分割多元接続（ＯＦＤＭ／ＯＦＤＭＡ）技術を利用する無線通信システム内で使用できる例の送信機および例の受話器を示す図。
【図４】本開示の実施形態による、符号分割多元接続（ＣＤＭＡ）１ｘネットワークにオーバーレイされたＷｉＭＡＸネットワークを示す図。
【図５】本開示の実施形態による、ＷｉＭＡＸスキャニング・インターバル中にページング要求をリスンするためにＷｉＭＡＸネットワークからＣＤＭＡ  １ｘネットワークに切り替える際に移動局によって実行される例の動作を示す図。
【図５Ａ】本開示の実施形態による、ＷｉＭＡＸスキャニング・インターバル中にＷｉＭＡＸネットワークからＣＤＭＡ  １ｘネットワークに切り替えるための図５の例の動作に対応する手段を示すブロック図。
【図６】ＷｉＭＡＸ通信のフレームの始めとＣＤＭＡ  １ｘ通信のフレームの始めとの間のタイムオフセットの例を示す図。
【図７】本開示の実施形態による、タイムオフセット測定値から判定されたパラメータに基づくＣＤＭＡ  １ｘページング・ウィンドウとのＷｉＭＡＸスキャニング・インターバルの位置合せを示す図。
【図８】本開示の実施形態による、マルチモード移動局とＷｉＭＡＸ基地局および符号分割多元接続基地局との間の例の交換を示す図。
【図９】本開示の実施形態による、変更された移動体スキャン要求フィールドの例を示す図。
【図１０】本開示の実施形態による、変更された移動体スキャン要求で通信されるＷｉＭＡＸパラメータに基づくＣＤＭＡ  １ｘページング・ウィンドウとのＷｉＭＡＸスキャニング・インターバルの位置合せを示す図。
【図１１】本開示の実施形態による、変更された移動体スキャン要求を利用しながらＷｉＭＡＸネットワークからＣＤＭＡ  １ｘネットワークに切り替える際に移動局によって実行される例の動作を示す図。
【図１１Ａ】本開示の実施形態による、変更された移動体スキャン要求を利用しながらＷｉＭＡＸネットワークからＣＤＭＡ  １ｘネットワークに切り替えるための図１１の例の動作に対応する手段を示すブロック図。
【発明を実施するための形態】
【００１３】
本開示の実施形態は、ＷｉＭＡＸ無線アクセス技術（ＲＡＴ）とＣＤＭＡ  １ｘ  ＲＡＴとの両方をサポートするマルチモード移動体デバイスが、ＷｉＭＡＸスキャニング・インターバル中に符号分割多元接続ページング・チャネルを監視するためにＷｉＭＡＸネットワークと符号分割多元接続ネットワークとの間で切り替えることを可能にすることができる。具体的に言うと、実施形態は、マルチモードＭＳが、変更されたＷｉＭＡＸ移動体スキャン要求（ＭＯＢ＿ＳＣＮ−ＲＥＱ）パラメータのセットを判定し、ＷｉＭＡＸスキャニング・インターバルが符号分割多元接続ページ要求リスニング・ウィンドウと位置合せされることを保証することを試みて要求パラメータの必須の性質についてサービングＷｉＭＡＸ  ＢＳに通知する変更されたＭＯＢ＿ＳＣＮ−ＲＥＱを送信することを可能にする方法および装置を提供することができる。
【００１４】
例示的な無線通信システム
本開示の方法および装置を、ブロードバンド無線通信システムで利用することができる。本明細書で使用される時に、用語「ブロードバンド無線」は、全般的に、所与の区域での音声、インターネット、および／またはデータ・ネットワーク・アクセスなどの無線サービスの任意の組合せを提供できる技術を指す。
【００１５】
Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓを表すＷｉＭＡＸは、長距離にまたがる高スループットブロードバンド接続を提供する標準規格ベースのブロードバンド無線技術である。現在、ＷｉＭＡＸの２つの主要な応用例すなわち、固定ＷｉＭＡＸおよび移動体ＷｉＭＡＸがある。固定ＷｉＭＡＸ応用例は、ポイント・ツー・マルチポイントであり、たとえば家庭および会社へのブロードバンドアクセスを可能にする。移動体ＷｉＭＡＸは、ブロードバンド速度でセルラネットワークの完全なモビリティを提供する。
【００１６】
移動体ＷｉＭＡＸは、直交周波数分割多重（ＯＦＤＭ）技術および直交周波数分割多元接続（ＯＦＤＭＡ）技術に基づく。直交周波数分割多重は、さまざまな高データレート通信システムで最近幅広い採用を見てきたディジタル多搬送波変調技法である。直交周波数分割多重を用いると、伝送ビット・ストリームは、複数のより低いレートのサブストリームに分割される。各サブストリームは、複数の直交副搬送波のうちの１つを用いて変調され、複数の並列サブチャネルのうちの１つで送信される。直交周波数分割多元接続は、ユーザが異なるタイムスロットに副搬送波を割り当てられる多元接続技法である。直交周波数分割多元接続は、大幅に変化するアプリケーション、データレート、およびサービス品質要件を有する多数のユーザに対処することができる柔軟な多元接続技法である。
【００１７】
無線インターネットおよび無線通信のすばやい成長は、無線通信サービスの分野での高データレートに関する高まる需要につながった。直交周波数分割多重／直交周波数分割多元接続システムは、現在、最も有望な研究領域の１つであり、無線通信の次世代に関する主要な技術であるものと見なされている。これは、直交周波数分割多重／直交周波数分割多元接続変調方式が、従来の単一搬送波変調方式を超える変調効率、スペクトル効率、柔軟性、および強い多重通路免疫性（multipath immunity）などの多数の利益を提供できるからである。
【００１８】
ＩＥＥＥ  ８０２．１６ｘは、固定および移動体のブロードバンド無線アクセス（ＢＷＡ）システムに関するエアインターフェースを定義する、新生の標準規格組織である。これらの標準規格は、少なくとも４つの異なる物理層（ＰＨＹ）および１つの媒体アクセス制御（ＭＡＣ）層を定義する。４つの物理層のうちの直交周波数分割多重物理層および直交周波数分割多元接続物理層は、それぞれ固定ＢＷＡ領域および移動体ＢＷＡ領域で最も人気がある。
【００１９】
図１に、本開示の実施形態を使用することができる無線通信システム１００の例を示す。無線通信システム１００を、ブロードバンド無線通信システムとすることができる。無線通信システム１００は、それぞれが基地局１０４によってサービスされる多数のセル１０２に通信を提供することができる。基地局１０４は、ユーザ端末１０６と通信する固定局とすることができる。基地局１０４を、その代わりに、アクセスポイント、Ｎｏｄｅ  Ｂ、またはある他の用語法で呼ぶ場合がある。
【００２０】
図１に、システム１００全体に散在するさまざまなユーザ端末１０６を示す。ユーザ端末１０６を、固定（すなわち、静止）または可動とすることができる。ユーザ端末１０６を、その代わりに、遠隔ステーション、アクセス端末、端末、加入者ユニット、移動局、ステーション、ユーザ機器などと呼ぶ場合がある。ユーザ端末１０６を、セル電話、携帯情報端末（ＰＤＡ）、ハンドヘルドデバイス、無線モデム、ラップトップ・コンピュータ、パーソナル・コンピュータその他などの無線デバイスとすることができる。
【００２１】
さまざまなアルゴリズムおよび方法を、無線通信システム１００内で基地局１０４とユーザ端末１０６との間での伝送に使用することができる。たとえば、信号を、直交周波数分割多重／直交周波数分割多元接続技法に従って基地局１０４とユーザ端末１０６との間で送信し、受信することができる。そうである場合には、無線通信システム１００を直交周波数分割多重／直交周波数分割多元接続システムと呼ぶことができる。
【００２２】
基地局１０４からユーザ端末１０６への伝送を容易にする通信リンクを、ダウンリンク１０８と呼ぶ場合があり、ユーザ端末１０６から基地局１０４への伝送を容易にする通信リンクを、アップリンク１１０と呼ぶ場合がある。その代わりに、ダウンリンク１０８を順方向リンクまたは順方向通信路と呼ぶ場合があり、アップリンク１１０を逆方向リンクまたは逆方向通信路と呼ぶ場合がある。
【００２３】
セル１０２を、複数のセクタ１１２に分割することができる。セクタ１１２は、セル１０２内の物理カバレージエリアである。ある無線通信システム１００内の基地局１０４は、セル１０２の特定のセクタ１１２内の電力の流れを集中するアンテナを利用することができる。そのようなアンテナを、指向性アンテナと呼ぶことができる。
【００２４】
図２に、無線通信システム１００内で使用できる無線デバイス２０２内で利用できるさまざまなコンポーネントを示す。無線デバイス２０２は、本明細書で説明されるさまざまな方法を実施するように構成できるデバイスの例である。無線デバイス２０２を、基地局１０４またはユーザ端末１０６とすることができる。
【００２５】
無線デバイス２０２は、無線デバイス２０２の動作を制御するプロセッサ２０４を含むことができる。プロセッサ２０４を、中央処理装置（ＣＰＵ）と呼ぶ場合もある。読取り専用メモリ（ＲＯＭ）とランダムアクセスメモリ（ＲＡＭ）との両方を含むことができるメモリ２０６は、プロセッサ２０４に命令およびデータを供給する。メモリ２０６の一部は、不揮発性ランダムアクセスメモリ（ＮＶＲＡＭ）を含むこともできる。プロセッサ２０４は、通常は、メモリ２０６内に格納されたプログラム命令に基づいて論理演算および算術演算を実行する。メモリ２０６内の命令を、本明細書で説明される方法を実施するために実行可能とすることができる。
【００２６】
無線デバイス２０２は、無線デバイス２０２と遠隔位置との間でのデータの伝送および受信を可能にするために送信機２１０および受話器２１２を含むことができるハウジング２０８を含むこともできる。送信機２１０および受話器２１２を、トランシーバ２１４に組み合わせることができる。アンテナ２１６を、ハウジング２０８に取り付け、トランシーバ２１４に電気的に結合することができる。無線デバイス２０２は、複数の送信機、複数の受話器、複数のトランシーバ、および／または複数のアンテナを含むこともできる（図示せず）。
【００２７】
無線デバイス２０２は、トランシーバ２１４によって受信された信号を検出し、そのレベルを定量化する目的で使用することができる信号検出器２１８を含むこともできる。信号検出器２１８は、総エネルギー、擬似雑音（ＰＮ）チップあたりのパイロット・エネルギー、電力スペクトル密度、および他の信号などの信号を検出することができる。無線デバイス２０２は、信号を処理する際に使用されるディジタル信号プロセッサ（ＤＳＰ）２２０を含むこともできる。
【００２８】
無線デバイス２０２のさまざまなコンポーネントを、データバスに加えて電力バス、制御信号バス、および状況信号バスを含むことができるバスシステム２２２によって一緒に結合することができる。
【００２９】
図３に、直交周波数分割多重／直交周波数分割多元接続を利用する無線通信システム１００内で使用できる送信機３０２の例を示す。送信機３０２の諸部分を、無線デバイス２０２の送信機２１０内で実施することができる。送信機３０２を、データ３０６をダウンリンク１０８でユーザ端末１０６に伝送するために基地局１０４内で実施することができる。送信機３０２を、データ３０６をアップリンク１１０で基地局１０４に伝送するためにユーザ端末１０６内で実施することもできる。
【００３０】
伝送されるデータ３０６は、直並列（Ｓ／Ｐ）コンバータ３０８に入力として提供されるものとして図示されている。Ｓ／Ｐコンバータ３０８は、伝送データをＮ個の並列データ・ストリーム３１０に分割することができる。
【００３１】
次に、Ｎ個の並列データ・ストリーム３１０を、マッパ３１２に入力として供給することができる。マッパ３１２は、Ｎ個の並列データ・ストリーム３１０をＮ個のコンステレーション点にマッピングすることができる。このマッピングは、２位相偏移（ＢＰＳＫ）、４位相偏移変調（ＱＰＳＫ）、８位相偏移変調（８ＰＳＫ）、直交振幅変調（ＱＡＭ）、その他など、ある変調コンステレーションを使用して行うことができる。したがって、マッパ３１２は、Ｎ個の並列記号ストリーム３１６を出力することができ、各記号ストリーム３１６は、逆高速フーリエ変換（ＩＦＦＴ）３２０のＮ個の直交副搬送波のうちの１つに対応する。このＮ個の並列記号ストリーム３１６は、周波数領域で表され、ＩＦＦＴコンポーネント３２０によってＮ個の並列時間領域サンプル・ストリーム３１８に変換され得る。
【００３２】
用語法に関する短い注を、これから提供する。周波数領域のＮ個の並列変調は、周波数領域のＮ個の変調記号と等しく、これは、周波数領域のＮ個のマッピングおよびＮ点ＩＦＦＴと等しく、これは、時間領域の１つの（有用な）直交周波数分割多重記号と等しく、これは、時間領域のＮ個のサンプルと等しい。時間領域の１つの直交周波数分割多重記号Ｎｓは、Ｎｃｐ（直交周波数分割多重記号あたりのガード・サンプルの個数）＋Ｎ（直交周波数分割多重記号あたりの有用なサンプルの個数）と等しい。
【００３３】
Ｎ個の並列時間領域サンプル・ストリーム３１８を、並直列（Ｐ／Ｓ）コンバータ３２４によって直交周波数分割多重／直交周波数分割多元接続記号ストリーム３２２に変換することができる。ガード挿入コンポーネント３２６は、直交周波数分割多重／直交周波数分割多元接続記号ストリーム３２２内の連続する直交周波数分割多重／直交周波数分割多元接続記号の間にガード・インターバルを挿入することができる。次に、ガード挿入コンポーネント３２６の出力を、ラジオ周波数（ＲＦ）フロントエンド３２８によって所望の伝送周波数帯にアップコンバートすることができる。次に、アンテナ３３０が、結果の信号３３２を伝送することができる。
【００３４】
図３には、直交周波数分割多重／直交周波数分割多元接続を利用する無線デバイス２０２内で使用できる受話器３０４の例も示されている。受話器３０４の諸部分を、無線デバイス２０２の受話器２１２内で実施することができる。受話器３０４を、データ３０６をダウンリンク１０８で基地局１０４から受信するためにユーザ端末１０６内で実施することができる。受話器３０４を、データ３０６をアップリンク１１０でユーザ端末１０６から受信するために基地局１０４内で実施することもできる。
【００３５】
伝送される信号３３２は、無線チャネル３３４を移動して図示されている。信号３３２’がアンテナ３３０’によって受信される時に、受信された信号３３２’を、ＲＦフロントエンド３２８’によってベースバンド信号にダウンコンバートすることができる。次に、ガード除去コンポーネント３２６’が、ガード挿入コンポーネント３２６によって直交周波数分割多重／直交周波数分割多元接続記号の間に挿入されたガード・インターバルを除去することができる。
【００３６】
ガード除去コンポーネント３２６’の出力を、Ｓ／Ｐコンバータ３２４’に供給することができる。Ｓ／Ｐコンバータ３２４’は、直交周波数分割多重／直交周波数分割多元接続記号ストリーム３２２’を、それぞれがＮ個の直交副搬送波のうちの１つに対応するＮ個の並列時間領域記号ストリーム３１８’に分割することができる。高速フーリエ変換（ＦＦＴ）コンポーネント３２０’が、Ｎ個の並列時間領域記号ストリーム３１８’を周波数領域に変換し、Ｎ個の並列周波数領域記号ストリーム３１６’を出力することができる。
【００３７】
デマッパ３１２’が、マッパ３１２によって実行された記号マッピング動作の逆を実行し、これによってＮ個の並列データ・ストリーム３１０’を出力することができる。Ｐ／Ｓコンバータ３０８’が、Ｎ個の並列データ・ストリーム３１０’を単一のデータ・ストリーム３０６’に組み合わせることができる。理想的には、このデータ・ストリーム３０６’は、送信機３０２に入力として供給されたデータ３０６に対応する。要素３０８’、３１０’、３１２’、３１６’、３２０’、３１８’、および３２４’のすべてを、ベースバンドプロセッサ上またはベースバンドプロセッサ内で見出すことができることに留意されたい。
【００３８】
ＣＤＭＡ  １ｘ回線交換ネットワークおよびＷｉＭＡＸオーバーレイ・ネットワークでの例示的なマルチモード端末動作
無線サービスの展開では、複数のサービスを提供するために、異なる無線アクセス技術（ＲＡＴ）を組み合わせることができる。たとえば、図４に、ブロードバンド・データ・サービスと音声サービスとの両方を提供するために移動体ＷｉＭＡＸネットワーク４１０を符号分割多元接続（ＣＤＭＡ）１ｘネットワーク４２０と組み合わせる（またはこれに「オーバーレイする」）ことができるシステム４００を示す。このシステムでは、加入者は、公衆交換電話ネットワーク（ＰＳＴＮ）４３２を利用するために符号分割多元接続ネットワークに同調し、インターネット４３４にアクセスする際にブロードバンド・データ・サービスを利用するためにＷｉＭＡＸネットワークに同調するのに、単一のデュアルモード（符号分割多元接続およびＷｉＭＡＸ）移動局（ＭＳ）４３０を利用することができる。
【００３９】
従来のシステムでは、この２つのネットワークの間の非効率的な切替が、両方のサービスのスループットの低下を引き起こす場合がある。たとえば、従来のシステムでは、ブロードバンドサービスのためにＷｉＭＡＸネットワークに接続されたデュアルモードＭＳ  ４３０は、ＩＥＥＥ  ８０２．１６標準規格に従って、使用可能な信号品質を評価するために、周期的にデータ・トラヒックの交換を止め、隣接するＷｉＭＡＸ  ＢＳをスキャンし、必要な時にはハンドオフ（ＨＯ）を実施する場合がある。さらに、デュアルモードＭＳ  ４３０は、符号分割多元接続ページ・メッセージについてチェックするために周期的に符号分割多元接続ネットワークに切り替え、ＣＤＭＡ  １ｘ  ＢＳ  ４２４への符号分割多元接続登録を実行しなければならない場合がある。ブロードバンド・データ・サービスからＷｉＭＡＸ  ＢＳスキャニングおよび符号分割多元接続ページ監視への頻繁な切替は、既存のブロードバンド・データ・サービスを混乱させ、ユーザ経験を減ずる可能性がある。
【００４０】
図４に示されているように、符号分割多元接続ネットワーク４２０を、ＷｉＭＡＸネットワーク４１０にオーバーレイすることができる。符号分割多元接続サービスを、複数のハードウェア・コンポーネントおよびソフトウェア・コンポーネントによって、ある地理的区域に提供することができる。この地理的区域を、セル１０２と称する、サービス塔４４０を中心とする領域に分割することができる。空間効率を高めることを試みて、単一のサービス塔４４０が、複数のＲＡＴをサポートすることができる。たとえば、サービス塔４４０が、ＷｉＭＡＸ基地局（ＢＳ）４１４と符号分割多元接続ＢＳ  ４２４との両方をサポートすることができる。
【００４１】
符号分割多元接続ＢＳ  ４２４は、複数の符号分割多元接続ＢＳにインテリジェント制御を提供することができる基地局制御装置（ＢＳＣ）４２６との通信を暗号化し、復号する機器を含むことができる。ＢＳＣ  ４２６は、その制御下に数１０個または数百個のＢＳを有することができる。ＢＳＣ  ４２６は、無線チャネルの割当てを処理し、デュアルモードＭＳ  ４３０から測定値を受信し、あるいはあるＢＳから別のＢＳへのハンドオーバを制御することができる。さらに、ＢＳＣ  ４２６は、そこでＢＳへの複数の低容量接続がＭＳＣ（Ｍｏｂｉｌｅ  Ｓｗｉｔｃｈｉｎｇ  Ｃｅｎｔｅｒ）４２８に向かうより少数の接続に変換される、集信装置として働くことができる。
【００４２】
ＭＳＣ  ４２８は、符号分割多元接続ネットワークの主サービス配送ノードとして働くことができる。ＭＳＣ  ４２８は、音声呼およびテキスト・メッセージ（ＳＭＳ）の処理、具体的には、エンドツーエンド接続のセットアップおよび解放、呼中のモビリティ要件およびハンドオーバ要件の処理、ならびに課金およびリアルタイム・プリペイド・アカウント監視の世話の責任を負うものとすることができる。さらに、ＭＳＣ  ４２８は、呼び出されているＭＳの位置を判定することができ、公衆交換電話ネットワーク（ＰＳＴＮ）などの陸線とインターフェースすることができる。
【００４３】
ＢＳＣ  ４２６に似て、アクセス・サービス・ネットワーク・ゲートウェイ（ＡＳＮ−ＧＷ）４１６は、ＷｉＭＡＸネットワーク４１０内の複数のＢＳを制御することができる。ＡＳＮ−ＧＷ  ４１６は、チャネルを割り当て、デュアルモードＭＳ  ４３０から測定値を受信し、あるＢＳから別のＢＳへのハンドオーバを制御することができる。ＡＳＮ−ＧＷ  ４１６は、デュアルモードＭＳ  ４３０がインターネット・サービス・プロバイダのＣＳＮ（ｃｏｎｎｅｃｔｉｖｉｔｙ  ｓｅｒｖｉｃｅ  ｎｅｔｗｏｒｋ）４１８を介してインターネット４３４にアクセスすることを可能にすることができる。ＣＳＮ  ４１８は、とりわけ、ＡＡＡ（Ａｕｔｈｅｎｔｉｃａｔｉｏｎ，Ａｃｃｏｕｎｔｉｎｇ，Ａｕｔｈｏｒｉｚａｔｉｏｎ）、ドメイン・ネームシステム（ＤＮＳ）、動的ホスト構成プロトコル（ＤＨＣＰ）、およびファイヤウォール・サービスをインターネット・サービス・プロバイダに提供することができる。
【００４４】
図５に、本開示のいくつかの実施形態による、ＷｉＭＡＸスキャニング・インターバル中に符号分割多元接続ページング・チャネルを監視するためにたとえばデュアルモードＭＳ  ４３０によって実行できる例の動作５００を示す。動作５００は、たとえば、ＭＳがＷｉＭＡＸネットワークに接続されている間にＣＤＭＡ  １ｘネットワークを介してルーティングされる音声呼を受信することを可能にする目的でＭＳによって実行され得る。
【００４５】
動作は、５０２で、デュアルモードＭＳ  ４３０が、ＷｉＭＡＸフレームの始めと符号分割多元接続フレームの始めとの間のタイミング・オフセットを測定することから始まる。そのようなオフセットを、図６に、フレーム番号Ｎ１を有する任意のＷｉＭＡＸフレーム６１０の始めと符号分割多元接続システム時間（フレーム番号単位で）Ｎ２を有する対応する符号分割多元接続フレーム６１２の始めとの間のＴ＿ｏｆｆｓｅｔ  ６００として示す。符号分割多元接続フレームタイミングを測定するために、ＭＳ  ４３０は、その中でＷｉＭＡＸネットワークから符号分割多元接続ネットワークに切り替えるスキャニング・インターバルを必要とする可能性がある。タイミング・オフセットを測定している間に、デュアルモードＭＳ  ４３０は、ＷｉＭＡＸフレーム番号および符号分割多元接続フレーム単位での符号分割多元接続システム時間を判定することもできる。ＷｉＭＡＸフレーム（Ｔ＿ｗｍ＿ｆｒａｍｅ）が、符号分割多元接続フレームより短い持続時間を有する可能性があることに留意されたい。たとえば、伝統的な符号分割多元接続フレームは、２０ミリ秒の持続時間を有することができるが、匹敵するＷｉＭＡＸフレームは、５ミリ秒とすることができる。
【００４６】
５０４で、デュアルモードＭＳ  ４３０は、以前に計算されたタイミング・オフセットに基づいて、ＷｉＭＡＸパラメータのセットを判定することができる。ＭＳ  ４３０によって判定されるＷｉＭＡＸパラメータは、ＷｉＭＡＸ開始フレーム、ＷｉＭＡＸスキャニング・インターバルの持続時間（スキャン持続時間）、およびインタリービング・インターバル持続時間を含むことができるが、これらに限定はされない。
【００４７】
いくつかの場合（たとえば、ＭＳがページング・チャネル（ＰＣＨ）だけを監視している場合）に、スキャン持続時間（ＷｉＭＡＸフレーム数の単位で）を、式（１）によって説明されるように判定することができる。
【数１】
2011520402.tif 000003
【００４８】
ここで、Ｔ＿ｔｕｎｅは、ＭＳがＷｉＭＡＸネットワークから符号分割多元接続ネットワークに同調するのに要する時間であり、Ｔ＿ｗｍ＿ｆｒａｍｅは、５ミリ秒とすることができる。Ｃｅｉｌｉｎｇ関数は、その引数以上の最小の整数をとる（すなわち、Ｃｅｉｌｉｎｇ［ｘ］は、最小の整数＞＝ｘを返す）。しかし、いくつかの場合（たとえば、ＭＳがＰＣＨおよびクイックページング・チャネル（ＱＰＣＨ）を監視している場合）に、スキャン持続時間（ＷｉＭＡＸフレーム数の単位で）を、式（２）によって説明されるように判定することができる。
【数２】
2011520402.tif 000004
【００４９】
ＭＳ  ４３０は、符号分割多元接続ページング・チャネルと符号分割多元接続クイックページング・チャネルとの両方をリスンしなければならないので、必要なリスニング時間は、前に説明した実施形態より長い可能性がある。
【００５０】
しかし、ＩＥＥＥ  ８０２．１６標準規格の現在の版が、ＷｉＭＡＸインタリービング・インターバルの最大持続時間を制限していることに留意することが重要である。具体的に言うと、ＷｉＭＡＸインタリービング・インターバルを、次の２つの条件を満足する数ｋの集合の最大値をとることによって判定することができる。
【００５１】
ｋ＜２５６、かつ
【数３】
2011520402.tif 000005
【００５２】
上のＳｌｏｔ＿Ｃｙｃｌｅ＿Ｉｎｄｅｘは、符号分割多元接続標準規格の下でＣＤＭＡ  １ｘページング・サイクル長を判定するのに使用されるパラメータである。たとえば、ＷｉＭＡＸフレームの持続時間（Ｔ＿ｗｍ＿ｆｒａｍｅ）が５ミリ秒である場合に、Ｓｌｏｔ＿Ｃｙｃｌｅ＿ｉｎｄｅｘは１であり、スキャン持続時間は２０フレームであり、条件ｉｉ）の分子は５１２と等しい。したがって、両方の条件を満足する数ｋの集合は、｛２３６，１０８，４４，１２｝を含み、数の前記集合の最大値（すなわち、ＷｉＭＡＸフレーム数の単位でのスキャニング・サイクルＮ）は、２３６である。
【００５３】
さらに、ＷｉＭＡＸパラメータのセットを判定する時に、開始フレームは、絶対ＷｉＭＡＸフレーム数の最下位８ビットを指すことができる。その結果、本開示の実施形態は、ＭＳがＰＣＨだけを監視している時に、ＷｉＭＡＸ開始フレームを式（４）で説明されるように判定することを可能にすることができる。
【数４】
2011520402.tif 000006
【００５４】
ここで、τは、
【数５】
2011520402.tif 000007
【００５５】
と表すことができ、Ｍは、（４＊ＰＧＳＬＯＴ−Ｎ２）  ｍｏｄ  ６４＊２Ｓｌｏｔ＿Ｃｙｃｌｅ＿Ｉｎｄｅｘと表すことができる。ＰＧＳＬＯＴは、符号分割多元接続標準規格の下でＣＤＭＡ  １ｘページング・サイクルあたりのオフセットを判定するのに使用されるパラメータであり、ＭＳ  ４３０のＩＭＳＩ（Ｉｎｔｅｒｎａｔｉｏｎａｌ  Ｍｏｂｉｌｅ  Ｓｔａｔｉｏｎ  Ｉｄｅｎｔｉｆｉｅｒ）に依存する。しかし、本開示の実施形態は、ＭＳがＰＣＨとＱＰＣＨとの両方を監視している時に、式（５）で説明されるようにＷｉＭＡＸ開始フレームを判定することを可能にすることができる。
【数６】
2011520402.tif 000008
【００５６】
５０６で、ＷｉＭＡＸパラメータのセットを含む移動体スキャニング要求（ＭＯＢ＿ＳＣＮ−ＲＥＱ）を、サービングＷｉＭＡＸ  ＢＳ  ４１４に送信することができる。前に述べたように、ＷｉＭＡＸパラメータのセットは、ＷｉＭＡＸ開始フレーム、スキャン持続時間、インタリービング・インターバル、およびＭＳが要求しているスキャニング・サイクルの個数（または実行されるべきスキャニング反復の回数）を含むことができる。
【００５７】
反復の回数には、１と２５５との間の任意の数をセットすることができ、反復の回数は、デュアルモードＭＳ  ４３０によって要求されるスキャニング・サイクルの数を示すことができる。すべての反復を完了する前に、ＭＳ  ４３０は、周期的切替インターバルを更新するために、別のスキャニング要求を送信することができる。いくつかの実施形態では、ＭＳ  ４３０によって送信されるスキャニング信号要求の数を減らすために、デフォルト反復値を２５５にすることができる。
【００５８】
ＷｉＭＡＸ  ＢＳ  ４１４は、ＷｉＭＡＸスキャニング持続時間が全般的に符号分割多元接続ページング・ウィンドウのそれぞれと位置合せされるように、ＷｉＭＡＸスキャニング・サイクルを確立する際に、供給されたパラメータのうちの１つまたは複数を使用することができる。５０８で、デュアルモードＭＳ  ４３０は、ＷｉＭＡＸ  ＢＳ  ４１４によって確立されたスキャニング・サイクルに従って符号分割多元接続ネットワークに切り替えることができる。
【００５９】
５１０で、デュアルモードＭＳ  ４３０は、ＭＳ  ４３０宛の符号分割多元接続ページ要求がページング・チャネルに存在するかどうかを判定することができる。符号分割多元接続ページング・チャネルがＭＳ  ４３０宛のページング要求を有しない場合には、５１４で、ＭＳは、ＷｉＭＡＸネットワークに戻り、通常のＷｉＭＡＸ動作を再開することができる。しかし、ＭＳ  ４３０が符号分割多元接続ページング要求を受信する場合には、５１２に示されているように、ＭＳ  ４３０は、ＷｉＭＡＸ接続を打ち切り、符号分割多元接続ネットワークとの通常動作にかかわることができる。
【００６０】
図７に、いくつかの実施形態で、ＭＳ  ４３０がＷｉＭＡＸネットワークから符号分割多元接続ネットワークに同調し、単一のスキャン持続時間７２０中にページング・ウィンドウ全体について符号分割多元接続ページング・チャネルをリスンするのに十分な時間を有するようにＷｉＭＡＸスキャン持続時間７２０１〜５のタイミングを定めることができることを示す。しかし、いくつかの実施形態では、ＷｉＭＡＸスキャン持続時間７２０が、ＭＳが符号分割多元接続ページング・ウィンドウ全体をリスンすることを可能にするのに長さにおいて不十分である場合がある。そのような実施形態では、ＭＳは、符号分割多元接続ページング・ウィンドウ７３０中にＭＳ  ４３０に割り当てられたページング・チャネルスロットに対応する符号分割多元接続ページング・チャネルスロットをリスンするのに十分にだけ長く符号分割多元接続ネットワークに同調することができる。しかし、デュアルモードＭＳ  ４３０に、ページング・チャネルスロットを割り当てることができる。したがって、デュアルモードＭＳ  ４３０は、ページング・チャネルスロットをリスンした後であるが符号分割多元接続ページング・ウィンドウ７３０の終りの前に、ＷｉＭＡＸネットワークに戻って切り替えることができる。
【００６１】
さらに、ＷｉＭＡＸ標準規格の下でのインタリービング・インターバル７２２の制限されたサイズに起因して、複数のＷｉＭＡＸスキャニング・サイクルが、後続の符号分割多元接続ページング・ウィンドウ７３０の間に発生する場合があることに留意されたい。したがって、デュアルモードＭＳ  ４３０が、すべてのＷｉＭＡＸスキャン持続時間７２０中に符号分割多元接続ネットワークに同調しない場合がある。符号分割多元接続ページング・ウィンドウと位置合せされないスキャン持続時間７２０中に、デュアルモードＭＳ  ４３０が、対応する信号品質を評価するために隣接ＷｉＭＡＸ  ＢＳをスキャンする場合がある。
【００６２】
図８に、本開示の実施形態による、デュアルモードＭＳ  ４３０とＷｉＭＡＸ  ＢＳ  ４１４および符号分割多元接続ＢＳ  ４２４との間の例の交換を示す。現在の例では、ＭＳ  ４３０は、ＷｉＭＡＸ  ＢＳ  ４１４との初期アクティブ接続を有することができるが、符号分割多元接続セル内にあることもできる。
【００６３】
符号分割多元接続ページング・チャネルをリスンすることに備えて、ＭＳ  ４３０は、８０２に示されているように、ＷｉＭＡＸフレームと符号分割多元接続フレームとの間のタイムオフセットを測定することができる。この測定周期中に、ＭＳ  ４３０は、上で説明したように、ＷｉＭＡＸ開始フレーム、スキャン持続時間値（ＷｉＭＡＸフレーム数の単位で測定される）、インタリービング・インターバル値（ＷｉＭＡＸフレーム数の単位で測定される）、および反復の回数などのＷｉＭＡＸパラメータのセットを判定することもできる。
【００６４】
ＷｉＭＡＸパラメータを測定し、判定した後に、ＭＳ  ４３０は、前記パラメータを含む移動体スキャン要求（ＭＯＢ＿ＳＣＮ−ＲＥＱ）メッセージ８０４をＷｉＭＡＸ  ＢＳ  ４１４に送信することができる。ＭＯＢ＿ＳＣＮ−ＲＥＱ  ８０４の受信に応答して、ＷｉＭＡＸ  ＢＳ  ４１４は、移動体スキャン応答（ＭＯＢ＿ＳＣＮ−ＲＳＰ）８０６を生成することができる。ＢＳ  ４１４が要求を許可すると仮定すると、ＷｉＭＡＸ  ＢＳ  ４１４は、ＷｉＭＡＸスキャン持続時間７２０を符号分割多元接続ページング・ウィンドウ７３０のそれぞれと位置合せする開始フレーム７１０およびスキャン持続時間７２０を確立するＭＯＢ＿ＳＣＮ−ＲＳＰ  ８０６を送信することができる。
【００６５】
ＢＳ  ４１４が、要求８０４を許可する応答８０６を送信したと仮定すると、ＭＳ  ４３０は、８０８に示されているように、ＭＯＢ＿ＳＣＮ−ＲＳＰ  ８０６内の情報に従って、ＷｉＭＡＸネットワークから符号分割多元接続ネットワークに切り替えることができる。ＢＳ  ４１４は、ＭＯＢ＿ＳＣＮ−ＲＥＱを肯定応答し、スキャン持続時間７２０を許可したので、ＢＳ  ４１４は、ＭＳ  ４３０がデータ・トラヒックを見逃さないことを保証するために、スキャン持続時間７２０中にＭＳ  ４３０にデータ・トラヒックを送信しないものとすることができる。
【００６６】
ＭＳ  ４３０は、ＭＳ  ４３０宛のページ要求を聞くまでまたは符号分割多元接続ページング・ウィンドウが過ぎるまで、符号分割多元接続ネットワークをリスンし続けることができる。ＭＳ  ４３０が符号分割多元接続ページ要求を検出しない場合には、ＭＳ  ４３０は、８１４に示されているように、ＷｉＭＡＸネットワークに戻り、通常のＷｉＭＡＸ動作を継続することができる。
【００６７】
ＭＳは、８１８に示されているように、ＭＯＢ＿ＳＣＮ−ＲＥＱで示される反復の回数だけまたはＭＳ  ４３０が前記ＭＳ宛の符号分割多元接続ページ要求を受信するまで、スキャン持続時間７２０とインタリービング・インターバル７２２中に実行される通常のＷｉＭＡＸ動作との間でサイクルすることができる。ＭＳ  ４３０宛のページ要求を受信した時に、ＭＳは、８２４に示されているように、ＷｉＭＡＸネットワークに戻り、ＭＯＢ＿ＤＲＥＧ−ＲＥＱ  ８２６をＷｉＭＡＸ  ＢＳ  ４１４に送信することができる。
【００６８】
ＷｉＭＡＸネットワークから登録解除した後に、ＭＳ  ４３０は、８２８に示されているように符号分割多元接続ページ応答を用いて符号分割多元接続ＢＳ  ４２４に応答し、符号分割多元接続ネットワークでの通常動作（たとえば、移動体が打ち切った呼をセットアップする）に進むことができる。
【００６９】
例示的な変更されたＭＯＢ＿ＳＣＮ−ＲＥＱメッセージ
上で説明したように、マルチモードＭＳ  ４３０による、符号分割多元接続ページング・チャネルを監視するためのＷｉＭＡＸスキャニング・インターバルの利用は、符号分割多元接続ネットワークとＷｉＭＡＸネットワークとの両方でのサービス連続性を改善することができる。しかし、従来のＷｉＭＡＸスキャニング・インターバルの長さの制限は、符号分割多元接続ページング・サイクルに対応しない「ダミー」スキャニング・インターバル中の非効率的なパワーアップを必要とする場合がある。しかし、本開示のいくつかの実施形態については、移動体スキャニング要求（ＭＯＢ＿ＳＣＮ−ＲＥＱ）メッセージの変更された版は、移動局が、浪費されるスキャニング・インターバルを除去するのを助けることができるより長いスキャニング・インターバルを要求することを可能にすることができる。
【００７０】
ＩＥＥＥ  ８０２．１６標準規格の現在の版の下では、ＭＳは、スキャニング・インターバル、インタリービング・インターバル、スキャン反復、および推奨される開始フレームを含むさまざまなスキャニング・パラメータの特定の値を判定し、提唱することができる。上で説明したように、ＭＳは、ＷｉＭＡＸスキャニング・インターバルが符号分割多元接続ページング・ウィンドウと位置合せされることを保証する目的で、これらのパラメータ値を計算し、選択することができる。しかし、ＢＳ  ４１４は、その要求を拒否し、あるいは代替のパラメータ値を提供することができる。
【００７１】
さらに、ＩＥＥＥ  ８０２．１６標準規格の現在の版の下では、ＷｉＭＡＸ  ＢＳは、隣接するＷｉＭＡＸ  ＢＳのスキャンの結果を報告するＭＳからの応答（ＭＳが符号分割多元接続ネットワーク４２０をリスンした場合には使用可能ではなくなるはずである）を予想することができる。さらに、標準ＭＯＢ＿ＳＣＮ−ＲＥＱメッセージ内のインタリービング・インターバル・フィールドの８ビット値は、ＲＡＴ間ページ・インターバルを包含するのに不十分なインタリービング・インターバル持続時間をもたらす可能性がある。スキャン反復フィールドの８ビット値も、ＭＳがスキャニング時間をあまりに頻繁に再要求することを必要とする可能性がある。
【００７２】
しかし、本開示の実施形態は、ＷｉＭＡＸ  ＲＡＴとＣＤＭＡ  １ｘ  ＲＡＴとの両方をサポートするマルチモードＭＳに、ページング・メッセージに関して符号分割多元接続ネットワークをスキャンするためにスキャニング・インターバルを要求する際により多くの制御を与える、移動体スキャン要求メッセージの変更された版を提供することができる。たとえば、変更されたメッセージは、ＭＳが、符号分割多元接続ネットワークのページング・サイクルと一致する長さを有するスキャニング・インターバルを要求するための変更されたＷｉＭＡＸパラメータのセットを判定することと、前に説明した欠陥を克服することを試みて、要求されるパラメータの必須の性質についてサービングＷｉＭＡＸ  ＢＳに通知することをも可能にすることができる。
【００７３】
図９に、本開示のいくつかの実施形態による、移動体スキャン要求フィールドの例のセットと共に、変更された移動体スキャン要求メッセージの例のフォーマットを示す。
【００７４】
図示の例では、インタリービング・インターバル・フィールド９１０は、ＩＥＥＥ  ８０２．１６標準規格の現在の版の下での８ビット値ではなく、１６ビットの長さを有する。現在の８ビット値は、０と２５５との間の値の範囲をもたらす。したがって、標準の８ビットのインタリービング・インターバル・フィールド９１０を有するＭＯＢ＿ＳＣＮ−ＲＥＱは、２５５フレームすなわち１．２７５秒のインタリービング・インターバルを要求することに制限される可能性がある。
【００７５】
しかし、１．２７５秒は、図７に示されているように、ＲＡＴ間ページ・インターバル（すなわち、符号分割多元接続ページング・サイクル）を包含するためには不十分な持続時間である可能性がある。図示の１６ビット・フィールドなどのより長いインタリービング・インターバル・フィールドは、ＲＡＴ間ページ・インターバルを包含するのに十分な持続時間を可能にすることができ、これによって、おそらくは浪費される「ダミー」リスニングインターバルを回避する。
【００７６】
したがって、より長いインタリービング・インターバル・フィールド９１０の使用は、ＷｉＭＡＸネットワーク４１０での高められたスループットをもたらすことができる。たとえば、符号分割多元接続ネットワーク４２０が、最長の可能なＷｉＭＡＸスキャニング・サイクルより長いページング・サイクルを有する場合には、ＭＳ  ４３０が、ＷｉＭＡＸスキャニング・インターバルと符号分割多元接続リスニング・ウィンドウとの間の位置合せを維持するために、複数の準最適ＷｉＭＡＸスキャニング・サイクルをスケジューリングしなければならない場合がある。複数の準最適ＷｉＭＡＸスキャニング・サイクルのスケジューリングは、ＭＳ  ４３０が不必要に符号分割多元接続ネットワーク４２０に切り替えることをもたらす可能性がある。ＭＳ  ４３０が符号分割多元接続ネットワーク４２０に不必要に同調される時間は、ＷｉＭＡＸスループットに対する失われた時間である。しかし、インタリービング・インターバル・フィールド９１０を変更することによって、本開示の実施形態は、ＷｉＭＡＸスループットを高めながらＷｉＭＡＸスキャニング・インターバルと他のＲＡＴのページング・サイクルとの間の位置合せを維持する柔軟性をＭＳ  ４３０に提供することができる。
【００７７】
図示されているように、本開示のいくつかの実施形態については、推奨開始フレームフィールド９２０のビット長も、ＩＥＥＥ  ８０２．１６標準規格の現在の版の下の通常の８ビットフィールドに対して相対的に増やすことができる。従来の８ビットフィールドは、スキャンインターバルを符号分割多元接続ページング・サイクルと位置合せすることを試みる時に制限的であるとわかる可能性がある、後続の２５５フレームのうちの１つを提唱することに制限されている。
【００７８】
開始フレームフィールド９２０の許容可能な値を増やすことによって、インタリービング・インターバル・フィールド９１０の変更と同様に、ＭＳ  ４３０は、ＷｉＭＡＸスキャニング・インターバルと符号分割多元接続リスニング・ウィンドウとの間での位置合せを維持する際の柔軟性を得ることができる。開始フレームフィールド値を、それでも、式（４）および（５）を参照して上で説明したものに似るが、ＭＯＤ  ２５６演算を伴わない形で計算することができる。２４ビット絶対フレーム番号が使用されると仮定すると、式（４）および（５）のＭＯＤ関数を、１６ビットの推奨開始フレーム値を生成するように変更することができる。代替案として、いくつかの実施形態については、移動体スキャン要求メッセージを、ＭＯＤ関数が要求されないようにするために、２４ビットの推奨開始フレームフィールドが使用することができるように変更することができる。
【００７９】
いくつかの実施形態については、別々のスキャニング要求条件フィールド９３０を使用することもできる。このスキャニング要求条件フィールドは、ＭＳが追加情報をＷｉＭＡＸ  ＢＳに通信するのを助けることができる。
【００８０】
一例として、スキャニング要求条件フィールド９３０は、ＭＯＢ＿ＳＣＮ−ＲＥＱメッセージに含まれるＷｉＭＡＸパラメータのうちの１つまたは複数がオプションまたは必須のいずれであるのかを示す１つまたは複数のビット９３２を有することができる。ＩＥＥＥ  ８０２．１６標準規格の現在の版の下では、ＭＳ  ４３０は、ＢＳ  ４１４に送信されるＭＯＢ＿ＳＣＮ−ＲＥＱにスキャニング・インターバル持続時間、インタリービング・インターバル持続時間、開始フレーム、およびスキャン反復などのＷｉＭＡＸパラメータを含めることができるが、ＢＳ  ４１４は、スキャン要求を拒否するか、ＭＳ  ４３０によって送信されたパラメータ値を無視して代替パラメータを実施することができる。
【００８１】
しかし、上で注記したように、ＭＳ  ４３０によって判定されたパラメータ値が、符号分割多元接続ページング・サイクルとＷｉＭＡＸスキャニング・サイクルとの間の位置合せを維持するのに必要である場合がある。したがって、ＭＯＢ＿ＳＣＮ−ＲＥＱメッセージのＷｉＭＡＸパラメータがオプションまたは必須のいずれであるのかを示す１つまたは複数のビットは、符号分割多元接続ページング・サイクルとＷｉＭＡＸスキャニング・サイクルとの間の位置合せを保証するのを助けることができる。
【００８２】
さらに、ＭＳ  ４３０は、他のネットワークのページング・ウィンドウを監視する必要がある場合があり、したがって、他のネットワークのページング・ウィンドウを監視するためにスキャニング時間を頻繁に再要求することは、非効率的である可能性がある。したがって、本開示のいくつかの実施形態は、ＭＳ  ４３０が、ＭＯＢ＿ＳＣＮ−ＲＥＱメッセージのスキャン反復フィールドの値に従って有限回数のスキャニング・サイクル反復を実行するのか、あるいは無限回数のスキャニング・サイクル反復を実行するのかを示す１つまたは複数のビット９３４を提供することができる。
【００８３】
たとえば、「０」の値を有するビット９３４を、ＭＳ  ４３０がスキャン反復フィールドによって提供される反復の回数の後にスキャニングを完了することを示すのに使用することができ、「１」の値を有するビット９３４を、ＭＳ  ４３０が無限回数の反復を実行することを示すのに使用することができる。スキャニング要求条件フィールド９３０が、ＭＳ  ４３０が無限回数のスキャニング・サイクル反復を実行することを示す場合には、ＭＳは、たとえば、０の値を有するスキャン反復フィールドを有する後続のＭＯＢ＿ＳＣＮ−ＲＥＱを送信することによって、スキャニング・サイクルを自動的に打ち切ることができる。
【００８４】
ＩＥＥＥ  ８０２．１６標準規格の現在の版は、ＭＳがスキャンするつもりである隣接ＷｉＭＡＸ  ＢＳ  ４１４を示すための、ＭＳ  ４３０用のフィールドをも有する。しかし、ＭＳ  ４３０が、符号分割多元接続ページ要求をリスンするためにＷｉＭＡＸネットワーク４１０を去る場合に、ＭＳ  ４３０は、示すべき隣接ＢＳ  ４１４を有しない場合がある。
【００８５】
したがって、本開示の実施形態は、ＭＳ  ４３０がＷｉＭＡＸネットワーク４１０内にとどまり、隣接するＢＳ  ４１４をスキャンするつもりなのか、あるいはＷｉＭＡＸネットワーク４１０から切り替え、他のネットワークのページ要求をリスンするつもりなのかを示す１つまたは複数のビット９３６を含むことができる。たとえば、「０」の値を有する単一のビット９３６を、ＭＳ  ４３０がＷｉＭＡＸネットワーク４１０内にとどまり、隣接するＷｉＭＡＸ  ＢＳ  ４１４をスキャンすることを示すのに使用することができ、「１」の値を有するビットを、ＭＳ  ４３０が隣接するＷｉＭＡＸ  ＢＳ  ４１４をスキャンしないことを示すのに使用することができる。
【００８６】
スキャニング要求条件フィールド９３０が、ＭＳ  ４３０がＷｉＭＡＸネットワーク４１０内にとどまり、隣接するＢＳ  ４１４をスキャンすることを示す場合には、ＭＳは、ＩＥＥＥ  ８０２．１６標準規格の現在の版に従って、どのＢＳ  ４１４をスキャンするのかを示すことができる。その一方で、スキャニング要求条件フィールド９３０が、ＭＳ  ４３０が隣接するＢＳ  ４１４をスキャンしないことを示す場合には、スキャンされる隣接ＢＳなどのＭＯＢ＿ＳＣＮ−ＲＥＱメッセージ内の対応するフィールドを含めないものとすることができる。
【００８７】
同様に、ＭＯＢ＿ＳＣＮ−ＲＥＱを許可するサービングＷｉＭＡＸ  ＢＳ  ４１４は、スキャニング・インターバルの後に、隣接するＢＳのＷｉＭＡＸスキャンの結果を報告する、ＭＳ  ４３０からの応答を期待することができる。たとえば、ＷｉＭＡＸ  ＢＳ  ４１４は、ＭＯＢ＿ＳＣＮ−ＲＳＰを送信する際に、ＭＳ  ４３０が周期的なレポートまたはイベントによってトリガされるレポートを生成しなければならないことを示すことができる。しかし、ネットワーク間ページング要求をリスンするためにスキャニング・インターバル中にネットワークを切り替えたＭＳ  ４３０は、報告すべきＷｉＭＡＸスキャン結果を有しない場合がある。
【００８８】
したがって、本開示の実施形態は、ＭＳ  ４３０がＷｉＭＡＸ  ＢＳにスキャニングレポートを提供するつもりなのかどうか、またはＷｉＭＡＸスキャニングレポートが不要であり、提供されないのかどうかを示す１つまたは複数のビット９３８を含むことができる。たとえば、「０」の値を有する単一のビットを、ＭＳ  ４３０がＩＥＥＥ  ８０２．１６標準規格の現在の版に従ってＷｉＭＡＸ  ＢＳ  ４１４にスキャニングレポートを提供することを示すのに使用することができ、「１」の値を有するビットを、ＷｉＭＡＸスキャニングレポートが不要であり、提供されないことを示すのに使用することができる。
【００８９】
図示されているように、いくつかの実施形態については、スキャニング要求条件フィールド９３０内の追加ビット９４０を、将来の使用のために予約することができる。
【００９０】
図１０に、本開示の実施形態に従って、マルチモードＭＳ  ４３０が変更された移動体スキャン要求メッセージを利用することによってＷｉＭＡＸスキャニング・サイクルと符号分割多元接続ページング・サイクルとの間の位置合せをどのようにして維持できるのかを示す。たとえば、ＭＳ  ４３０は、さらに将来の開始フレーム７１０を提唱するのに、より大きい推奨開始フレームフィールドＴＬＶを利用することができる。これは、ＩＥＥＥ  ８０２．１６標準規格の現在の版の下のＭＯＢ＿ＳＣＮ−ＲＥＱの推奨開始フレームフィールドＴＬＶと比較した時に、ＭＳ  ４３０が符号分割多元接続フレームの始めとＷｉＭＡＸフレームの始めとの間のより大きい潜在的なオフセットを克服することを可能にすることができる。
【００９１】
さらに、ＭＳ  ４３０は、より長い持続時間のインタリービング・インターバルを提供するのに、より大きいインタリービング・インターバル・フィールドを利用することができる。上で説明したように、より大きいインタリービング・インターバル・フィールドの利用は、不必要なスキャニング・インターバルを除去し（たとえば、図７のスキャニング・インターバル７２０２および７２０４）、符号分割多元接続ネットワーク４２０への不必要な切替を防ぎ、ＷｉＭＡＸネットワーク４１０で高められたスループットをもたらすことができる。
【００９２】
図１１に、ＷｉＭＡＸスキャニング・インターバル中に符号分割多元接続ページング・チャネルを監視している間にＷｉＭＡＸ  ＢＳ  ４１４と通信するために、図９に示されたものなどの変更されたＭＯＢ＿ＳＣＮ−ＲＥＱメッセージを利用して、たとえばマルチモードＭＳ  ４３０によって実行できる例の動作１１００を示す。動作１１００は、たとえば、ＷｉＭＡＸスキャニング・サイクルを符号分割多元接続ページング・サイクルに位置合せする際のＭＳ  ４３０の効率を改善し、マルチモードＭＳ  ４３０でのＷｉＭＡＸスループットを高めるために実行することができる。
【００９３】
動作は、１１０２で、マルチモードＭＳ  ４３０が、ＷｉＭＡＸ開始フレーム７１０を判定することから開始され、このＷｉＭＡＸ開始フレーム７１０は、ＷｉＭＡＸスキャニング・サイクルの始めを符号分割多元接続スキャニング・サイクルの始めに位置合せするのに使用することができる。たとえば、ＭＳは、上で説明したように、移動体スキャニングメッセージに含めるために１６ビットの開始フレーム値を生成することができる。いくつかの実施形態では、ＷｉＭＡＸ開始フレームの判定は、短く符号分割多元接続ネットワーク４２０に切り替え、ＷｉＭＡＸフレームの始めと符号分割多元接続フレームの始めとの間のタイミング・オフセット６００を測定することを含むことができる。
【００９４】
タイミング・オフセット６００を測定している間に、マルチモードＭＳ  ４３０は、ＷｉＭＡＸフレーム番号および符号分割多元接続フレーム単位でのＣＤＭＡシステム時間を判定することもできる。ＷｉＭＡＸフレーム（Ｔ＿ｗｍ＿ｆｒａｍｅ）が、符号分割多元接続フレームより短い持続時間を有する可能性があることに留意されたい。たとえば、伝統的な符号分割多元接続フレームは、２０ミリ秒の持続時間を有することができるが、匹敵するＷｉＭＡＸフレームは、５ミリ秒とすることができる。
【００９５】
１１０２で、マルチモードＭＳ  ４３０は、変更されたパラメータと共に前に計算されたタイミング・オフセット６００に基づいて、１６ビットの推奨開始フレームを判定することができる。推奨開始フレームＳｔａｒｔ＿Ｆｒａｍｅは、１６ビットフィールドを反映するのに使用される、式（４）および（５）からの変更された式によって計算することができる。１６ビット値のために計算すると、これらの式の剰余関数は、「ｍｏｄ  ６５５３６」になり、次のように新しい式（６）および（７）をもたらす。ＰＣＨを監視している間には、
【数７】
2011520402.tif 000009
【００９６】
であり、ＱＰＣＨおよびＰＣＨを監視している間には、
【数８】
2011520402.tif 000010
【００９７】
である。
【００９８】
１１０４で、マルチモードＭＳ  ４３０は、変更されたパラメータと共に前に計算されたタイミング・オフセット６００に基づいて、１６ビットのインタリービング・インターバルおよび８ビットのスキャン持続時間を判定することができる。１６ビットのインタリービング持続時間ｋは、式（３）の変更された版に基づいて計算することができる。
【数９】
2011520402.tif 000011
【００９９】
いくつかの実施形態で、ＷｉＭＡＸインタリービング・インターバルの持続時間（ＷｉＭＡＸフレーム数の単位で）は、スキャニング・サイクルと前に計算されたスキャニング・インターバルとの間の差をとることによって判定することができる。
【０１００】
１１０６で、ＷｉＭＡＸパラメータのセットを含む変更された移動体スキャニング要求（ＭＯＢ＿ＳＣＮ−ＲＥＱ）を、サービングＷｉＭＡＸ  ＢＳ  ４１４に送信することができる。上で説明したように、ＷｉＭＡＸパラメータのセットは、１６ビットのＷｉＭＡＸ開始フレーム、８ビットのスキャニング・インターバル持続時間、および１６ビットのインタリービング・インターバル持続時間を含むことができる。上で説明したように、より大きい許容されるパラメータ値は、浪費されるスキャニング・インターバルを回避するのを助けることができる。
【０１０１】
さらに、変更されたＭＯＢ＿ＳＣＮ−ＲＥＱは、ＭＳ  ４３０が符号分割多元接続ネットワーク４２０に同調することに関連する補足情報を通信する１つまたは複数のビットを有することができるスキャニング要求条件フィールド９３０を含むことができる。前に説明したように、スキャニング要求条件フィールドは、ＭＯＢ＿ＳＣＮ−ＲＥＱメッセージのＷｉＭＡＸパラメータがオプションまたは必須のどちらであるのか、ＭＳ  ４３０が有限回数のスキャニング・サイクル反復を実行するのかどうか、およびＭＳ  ４３０がＷｉＭＡＸネットワーク４１０内にとどまり、隣接するＢＳ  ４１４をスキャンするのか、あるいはＷｉＭＡＸネットワーク４１０から切り替え、他のネットワークのページ要求をリスンするのかを示す１つまたは複数のビットを有することができる。
【０１０２】
ＷｉＭＡＸ  ＢＳ  ４１４は、ＷｉＭＡＸスキャニング・インターバルが符号分割多元接続ページング・ウィンドウのそれぞれと位置合せされるように、ＷｉＭＡＸスキャニング・サイクルを確立する際に、供給されたパラメータのうちの１つまたは複数を使用することができる。１１０８で、マルチモードＭＳ  ４３０は、ＷｉＭＡＸ  ＢＳ  ４１４によって確立されたスキャニング・サイクルに従って符号分割多元接続ネットワーク４２０に切り替えることができる。
【０１０３】
次に、１１１０で、ＭＳ  ４３０は、ＭＳ  ４３０宛の符号分割多元接続ページ要求が符号分割多元接続ページング・チャネルに存在するかどうかを判定することができる。符号分割多元接続ページング・チャネルがＭＳ  ４３０宛のページング要求を有しない場合には、ＭＳは、１１１４で、ＷｉＭＡＸネットワーク４１０に戻り、通常のＷｉＭＡＸ動作を再開することができる。しかし、本開示の実施形態は、ＭＳ  ４３０が、符号分割多元接続ページ要求をリスンするために符号分割多元接続ネットワーク４２０に戻る前に、より長くＷｉＭＡＸネットワーク４１０にとどまり、潜在的にＷｉＭＡＸネットワーク４１０でのスループットを高めることを可能にすることができる。しかし、ＭＳ  ４３０が符号分割多元接続ページング要求を受け取る場合には、ＭＳ  ４３０は、１１１２に示されているように、ＷｉＭＡＸ接続を自動的に打ち切り、符号分割多元接続ネットワーク４２０との通常動作にかかわることができる。
【０１０４】
上で説明した方法のさまざまな動作を、図面に示された手段および機能ブロックに対応するさまざまなハードウェアおよび／またはソフトウェア・コンポーネント（１つまたは複数）および／またはモジュール（１つまたは複数）によって実行することができる。一般に、対応する相対物である手段および機能の図を有する図に示された方法がある場合に、動作ブロックは、類似する符号を有する手段および機能ブロックに対応する。たとえば、図５に示された５０２〜５１４は、図５Ａに示された手段および機能ブロック５０２Ａ〜５１４Ａに対応する。同様に、図１１に示されたブロック１１０２〜１１１４は、図１１Ａに示された手段および機能ブロック１１０２Ａ〜１１１４Ａに対応する。
【０１０５】
本明細書で説明した技法を、直交多重化方式に基づく通信システムを含むさまざまな通信システムに使用することができる。そのような通信システムの例は、直交周波数分割多元接続（ＯＦＤＭＡ）システム、ＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）システムなどを含む。直交周波数分割多元接続システムは、全体的なシステム帯域幅を複数の直交副搬送波に区分する変調技法である直交周波数分割多重（ＯＦＤＭ）を利用する。これらの副搬送波を、トーン、ビンなどと呼ぶ場合もある。直交周波数分割多重を用いると、各副搬送波を、データを用いて独立に変調することができる。ＳＣ−ＦＤＭＡシステムは、システム帯域幅にまたがって分布する副搬送波上で伝送するためにＩＦＤＭＡ（ｉｎｔｅｒｌｅａｖｅｄ  ＦＤＭＡ）を、隣接する副搬送波の１つのブロック上で伝送するためにＬＦＤＭＡ（ｌｏｃａｌｉｚｅｄ  ＦＤＭＡ）を、または隣接する副搬送波の複数のブロック上で伝送するためにＥＦＤＭＡ（ｅｎｈａｎｃｅｄ  ＦＤＭＡ）を利用することができる。一般に、変調記号は、直交周波数分割多重では周波数領域で、ＳＣ−ＦＤＭＡでは時間領域で送信される。
【０１０６】
本開示に関連して説明されたさまざまな例示的な論理ブロック、モジュール、および回路を、汎用プロセッサ、ディジタル信号プロセッサ（ＤＳＰ）、特定用途向け集積回路（ＡＳＩＣ）、フィールド・プログラマブル・ゲートアレイ信号（ＦＰＧＡ）もしくは他のプログラマブル論理デバイス（ＰＬＤ）、ディスクリート・ゲートもしくはトランジスタ論理、ディスクリート・ハードウェア・コンポーネント、または本明細書で説明された機能を実行するように設計されたその任意の組合せを用いて実施しまたは実行することができる。汎用プロセッサは、マイクロプロセッサとすることができるが、代替案では、プロセッサを、任意の市販プロセッサ、コントローラ、マイクロコントローラ、または状態機械とすることができる。プロセッサを、コンピューティング・デバイスの組合せ、たとえば、ＤＰＳおよびマイクロプロセッサの組合せ、複数のマイクロプロセッサ、ＤＳＰコアに関連する１つまたは複数のマイクロプロセッサ、または任意の他のそのような構成として実施することもできる。
【０１０７】
本開示に関連して説明された方法またはアルゴリズムのステップを、ハードウェアで直接に、プロセッサによって実行されるソフトウェア・モジュールで、またはこの２つの組合せで実施することができる。ソフトウェア・モジュールは、当技術分野で既知のすべての形の記憶媒体に常駐することができる。使用できる記憶媒体のいくつかの例は、ランダムアクセスメモリ（ＲＡＭ）、読取り専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または多数の命令を備えることができ、複数の異なるコードセグメント上で、異なるプログラムの間で、および複数の記憶媒体にまたがって分散させることができる。記憶媒体を、プロセッサが記憶媒体から情報を読み取り、記憶媒体に情報を書き込めるように、プロセッサに結合することができる。代替案では、記憶媒体をプロセッサに一体とすることができる。
【０１０８】
本明細書で開示される方法は、説明される方法を達成するための１つまたは複数のステップまたはアクションを備える。方法ステップおよび／またはアクションを、特許請求の範囲の範囲から逸脱せずに互いに交換することができる。言い換えると、ステップまたはアクションの特定の順序が指定されない限り、特定のステップおよび／またはアクションの順序および／または使用を、特許請求の範囲の範囲から逸脱せずに変更することができる。
【０１０９】
説明された機能を、ハードウェア、ソフトウェア、ファームウェア、またはその任意の組合せで実施することができる。ソフトウェアで実施される場合に、機能を、コンピュータ可読媒体に１つまたは複数の命令として格納することができる。記憶媒体は、コンピュータによってアクセスできる任意の使用可能な媒体とすることができる。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは、命令またはデータ構造の形で所望のプログラムコードを担持するか格納するのに使用でき、コンピュータによってアクセスできる任意の他の媒体を備えることができる。ディスク（ｄｉｓｋおよびｄｉｓｃ）は、本明細書で使用される時に、コンパクトディスク（ＣＤ）、レーザディスク、光ディスク、ディジタル多用途ディスク（ＤＶＤ）、フロッピディスク（登録商標）、およびＢｌｕ−ｒａｙ（登録商標）ディスクを含み、ｄｉｓｋは、通常は磁気的にデータを再生し、ｄｉｓｃは、レーザを用いて光学的にデータを再生する。
【０１１０】
ソフトウェアまたは命令を、伝送媒体を介して伝送することもできる。たとえば、ソフトウェアがウェブサイト、サーバ、または他の遠隔ソースから同軸ケーブル、光ファイバケーブル、より対線、ディジタル加入者回線（ＤＳＬ）、または赤外線、無線、およびマイクロ波などの無線技術を使用して伝送される場合に、同軸ケーブル、光ファイバケーブル、より対線、ＤＳＬ、または赤外線、無線、およびマイクロ波などの無線技術は、伝送媒体の定義に含まれる。
【０１１１】
さらに、本明細書で説明される方法および技法を実行するためのモジュールおよび／または他の適切な手段を、適宜、ユーザ端末および／または基地局によってダウンロードし、かつ／または他の形で入手することができることを了解されたい。たとえば、そのようなデバイスを、本明細書で説明する方法を実行するための手段の転送を容易にするためにサーバに結合することができる。代替案では、本明細書で説明されるさまざまな方法を、記憶手段（たとえば、ＲＡＭ、ＲＯＭ、コンパクトディスク（ＣＤ）またはフロッピディスクなどの物理記憶媒体など）を介して提供することができ、ユーザ端末および／または基地局が、記憶手段をデバイスに結合するか提供する時にさまざまな方法を入手することができる。さらに、本明細書で説明される方法および技法をデバイスに提供する任意の他の適切な技法を利用することができる。
【０１１２】
特許請求の範囲が、上で示した正確な構成およびコンポーネントに限定されないことを理解されたい。さまざまな修正、変更、および変形を、特許請求の範囲の範囲から逸脱せずに、上で説明した方法および装置の配置、動作、および詳細において行うことができる。
【図１】
2011520402.tif 000012
【図２】
2011520402.tif 000013
【図３】
2011520402.tif 000014
【図４】
2011520402.tif 000015
【図５】
2011520402.tif 000016
【図５Ａ】
2011520402.tif 000017
【図６】
2011520402.tif 000018
【図７】
2011520402.tif 000019
【図８】
2011520402.tif 000020
【図９】
2011520402.tif 000021
【図１０】
2011520402.tif 000022
【図１１】
2011520402.tif 000023
【図１１Ａ】
2011520402.tif 000024
【国際調査報告】
2011520402.tif 000025
2011520402.tif 000026
2011520402.tif 000027